(57)【要約】      （修正有）【課題】背中を温める事により気持ち良く快適になる為、漢方的に言うと全身の気の流れが良くなる健康増進の可能性があり、座っているだけで冷え性の人も体が温まる可能性のある椅子を作る。【解決手段】これを実現する手段として、椅子に人が座った事を認識するとスイッチが入り、立ち去るとスイッチが自動的に切れる装置と、椅子の背もたれに、左右の肩甲骨の中心あたりの背骨付近を暖める為のヒーター（ホットマット等）を取り付ける。【選択図】図１
2017170180.tif 000002
【特許請求の範囲】
【請求項１】
人体感知装置による自動スイッチを設けてあり且つ椅子の背もたれ部分の肩甲骨中央付近の背骨辺りを暖める為の、ヒーターが取りつけられた椅子。
【請求項２】
椅子の背もたれ部分に取り付けて使う、人体感知装置による自動スイッチの付いた、椅子の背もたれ部分の肩甲骨の中央付近の背骨辺りを暖める為に取り付ける、ヒーター。
【請求項３】
人体感知装置による自動スイッチを設けてあり且つ椅子の背もたれ部分の、左右の肩甲骨の中央付近の背骨辺りを暖める為の強いヒーターが取りつけられ、椅子に座っている人が火傷をしないように防護用の部品が取り付けられた椅子。
【発明の詳細な説明】
【技術分野】
【０００１】
本発明は、背中を暖めて、気持ち良く快適に座りながら、且つ健康増進が期待出来る、椅子の背もたれに取り付けられた装置に関する。
【背景技術】
【０００２】
現在マッサージ機能付き健康増進椅子は市場に沢山出回っている。
【０００３】
しかしこれらは事務用椅子には使えない大型のマッサージ専用機である。
これに対し、通常の家庭の椅子や事務用椅子等で快適で気持ちよく、且つ健康増進機能の期待出来る椅子は無い。
また、ヒーター付き座椅子は各社から販売されているが、人間感知装置は無く、また尻から腰にかけてのみ温める様になっており、漢方的にはあまり健康増進の期待は出来ない。
【先行技術文献】
【特許文献】
【０００４】
【非特許文献】
【０００５】
パナソニック  マッサージチェアーEP-MA97M（温感モミ玉）等や各社ヒーター付き座椅子。
【発明の概要】
【発明が解決しようとする課題】
【０００６】
マッサージ専用の椅子は気持ち良く快適なうえに健康増進機能があっても仕事や食事用等には使えないうえに広いスペースを占有してしまう。また、スイッチは手動で入れなければならないし、１サイクルのマッサージが終われば、自動的に電源が切れてしまうか、手動でヒーターを切らなければならない。
【課題を解決するための手段】
【０００７】
日常使う椅子に人間感知装置と背もたれ部分にヒーターを取り付け、寒い日でも快適に又、健康増進に役立ち、電気代も余分に使うことの無い椅子を作る。
【発明の効果】
【０００８】
人間感知装置により、人が座っている時だけ電気が自動自動的に入るので、電気の無駄がない。これは実際に使ってみると、手動のスイッチだと立ち去る時に殆ど切り忘れしまう事が分かります。
そして、肩甲骨中央付近の背骨辺りを温めると、漢方医学によれば気の流れが良くなるとされていて、実際に私の家に来て遠赤外線パネルヒーターに背中を向けて数時間座っていたら風邪が治った人（元特許庁審判長の方）もいます。風邪をひいたら肩甲骨の間の背骨の所に使い捨てホットカイロ（ホカロン等）を貼って加熱してみると良く分かりますが、ここには風門というツボがあり、熱が出る前にゾクゾクするあたりです。
よく懐炉という名前から懐近くで使用する人いますが、これは漢方的にみると間違っています。実際に風邪をひいた時に実践してみると良く分かりますが使い捨てホットカイロを横向きにして肩甲骨の真ん中あたりの背骨の所に２〜３枚上下に並べて貼ってみると効果の程がよくわかるはずです。鼻水が止まったり、ゾクゾク感が少なくなったり、だるさが軽減したりします。
【図面の簡単な説明】
【０００９】
【図１】本発明による装置を装着したを椅子の説明図（実施例１）である。
【図２】本発明による装置を脱着可能にした物で、通常の椅子に装着する為の部品の付いた加熱装置を、後ろ側から見た説明図（実施例２）である。
【図３】本発明による装置を装着した、ヒーター出力の強い場合の説明図（実施例３）である。
【発明を実施するための形態】
【００１０】
以下本発明装置の実施の形態を図１〜図３に基づいて説明する。
【００１１】
各図において１は椅子であり、２は椅子の背もたれ部分に取り付けられたヒーターまたはホットマット等や遠赤外線シートを張り付けた電気加熱装置等の加熱装置等（以下ヒーター本体２と呼ぶ）、３はヒーター本体２の電源コード、そして４は人が座った事を感知して自動的に人が座っている間のみスイッチをＯＮにする人体感知装置てある。
５、６及び７はヒーター本体２を椅子の背もたれに取り付ける為の部品である。これは椅子の背もたれ部分に装着する為の装置の一例であり、形状、材質はどの様でもいい。８はヒーター前面の安全ガードであり、強いヒーターの場合に体が密着して火傷をしないようにする防護部品である。    
【実施例１】
【００１２】
図１において１は椅子であり、ヒーター本体２を椅子の背もたれ部分に取り付けてある。３はその電源コード、そして４は人が座った事を感知して自動的に人が座っている間のみスイッチをＯＮにする人体感知装置てあり、設置位置は椅子でもコードでも、またそれ以外の（独立した）場所でも良い。又、椅子は座椅子やロッキングチェアまた美容室や歯科用の椅子等でも良い。
【実施例２】
【００１３】
図２は椅子の背持たれ用ヒーターのみの説明図である。ヒーター本体２は椅子の背持たれに取り付けるヒーター又はホットマット、３は電源コード、４は人体感知装置である。５、６及び７はヒーター本体２を椅子の背もたれに取り付ける為の部品である。
【実施例３】
【００１４】
図３はヒーター本体２が椅子の背もたれに取り付けられてあり、この場合ヒーター本体２はパネル又は棒状等の出力の強いヒータ−で、その前に金網状等の安全ガード８をつけ、ぴったりと背中をヒーターに密着させなくても充分に背中が温まるようにしたものである。
【００１５】
これにより、椅子に座った人は自動的にスイッチが入る事により、背中に当たるヒーター本体２により背中およびその周辺の内臓を暖め、血行促進とその近辺（内臓等）の体温上昇による、健康増進が期待できる。
【産業上の利用可能性】
【００１６】
背中をヒーターで温めているので、体全体が温まってきて、部屋の暖房を少し弱める事が出来るので省エネになりСΟ２節減になる。。
【符号の説明】
【００１７】
１  椅子。通常の家の家具としいての椅子や事務用をはじめ、各医療用や理容室用やまたマッサージ用の椅子、座椅子等、どのような用途の椅子でも良い。
２  椅子の背もたれに取り付けるヒーター本体。ニクロム線やセラミック、遠赤外線ヒーター等、発熱する物なら、どのようなものでも良い。
３  電源コード。
４  人体感知装置により自動的にスイッチを入り切りする装置。
５  本体２を椅子に取り付ける為の紐である。これは形状、材質はどの様なものでもよい。またじかに背もたれに取り付けてある場合等はなくても良い。
６  本体２を椅子に引っ掛ける為の逆Jの字型のものである。これは形状、材質はどの様なものでもよい。また、なくても良い。
７  本体２に紐等を取り付ける為の金具（フックや紐等の引っ掛け用）であり、必要の無い場合はなくても良い。
８  出力の強いヒーターを取り付けた場合はこの椅子に座っている人が火傷をしないように取り付けた防護用の部品であり、形状、材質は何でもよい。
【図１】
2017170180.tif 000003
【図２】
2017170180.tif 000004
【図３】
2017170180.tif 000005